(57)【特許請求の範囲】
【請求項１】
互いに対向する第１の面と第２の面とを有する誘電体と、該誘電体内に配置された第１〜第３の内部電極とを含むコンデンサと、
前記第１の面に配置された第１のバリスタ及び第２のバリスタと、
前記第１の面に配置された抵抗体と、
前記第２の面に配置された第１〜第３の外部電極と、
を備え、
前記第１の内部電極は、前記第３の外部電極に物理的且つ電気的に接続されると共に、前記第１の面と前記第２の面との対向方向に平行な方向に伸びるように配置され、
前記第２の内部電極は、前記第２の外部電極に物理的且つ電気的に接続されると共に、前記第１の面と前記第２の面との対向方向に平行な方向に伸び且つ少なくともその一部が前記誘電体の少なくとも一部を挟んで前記第１の内部電極に対向するように配置され、
前記第３の内部電極は、前記第１の外部電極に物理的且つ電気的に接続されると共に、前記第１の面と前記第２の面との対向方向に平行な方向に伸び且つ少なくともその一部が前記誘電体の少なくとも一部を挟んで前記第１の内部電極に対向するように配置され、
前記第１のバリスタは、前記第１の面に配置された第１及び第２の電極と、前記第１及び第２の電極の間に位置する領域を含むと共に電圧非直線特性を発現する第１のバリスタ層と、を有すると共に、前記第１の内部電極と前記第３の内部電極とによって構成されるコンデンサに並列接続され、
前記第２のバリスタは、前記第１の面に配置された第３及び第４の電極と、前記第１及び第２の電極の間に位置する領域を含むと共に電圧非直線特性を発現する第２のバリスタ層と、を有すると共に、前記第１の内部電極と前記第２の内部電極とによって構成されるコンデンサに並列接続され、
前記抵抗体は、前記第２の内部電極と前記第３の内部電極とにそれぞれ電気的に接続されていることを特徴とするローパスフィルタ。
【請求項２】
前記第１のバリスタ層は、前記第１の電極及び前記第２の電極のそれぞれ少なくとも一部を覆うように配置され、
前記第２のバリスタ層は、前記第３の電極及び前記第４の電極のそれぞれ少なくとも一部を覆うように配置され、
前記第１の内部電極は、前記第２の電極と前記第４の電極とに物理的且つ電気的に接続され、
前記第２の内部電極は、前記第３の電極に物理的且つ電気的に接続され、
前記第３の内部電極は、前記第１の電極に物理的且つ電気的に接続され、
前記抵抗体は、前記第１の電極と前記第３の電極とに物理的且つ電気的に接続されていることを特徴とする請求項１に記載のローパスフィルタ。
【請求項３】
前記第１のバリスタは、前記第１のバリスタ層を挟んで前記第１及び第２の電極に対向するように配置された電極を更に有し、
前記第２のバリスタは、前記第２のバリスタ層を挟んで前記第３及び第４の電極に対向するように配置された電極を更に有することを特徴とする請求項２に記載のローパスフィルタ。
【請求項４】
互いに対向する第１の面と第２の面とを有する誘電体と、該誘電体内に配置されると共に第１〜第３の内部電極を有するＮ個（N≧２の整数）の内部電極群とを含むコンデンサと、
N個の前記内部電極群にそれぞれ対応して前記第１の面に配置されたN個の第１のバリスタ及びN個の第２のバリスタと、
N個の前記内部電極群にそれぞれ対応して前記第１の面に配置されたN個の抵抗体と、
N個の前記内部電極群にそれぞれ対応して前記第２の面に配置されると共に、第１〜第３の外部電極を有するＮ個の外部電極群と、
を備え、
前記各内部電極群において、
前記第１の内部電極は、対応する前記外部電極郡の前記第３の外部電極に物理的且つ電気的に接続されると共に、前記第１の面と前記第２の面との対向方向に平行な方向に伸びるように配置され、
前記第２の内部電極は、対応する前記外部電極郡の前記第２の外部電極に物理的且つ電気的に接続されると共に、前記第１の面と前記第２の面との対向方向に平行な方向に伸び且つ少なくともその一部が前記誘電体の少なくとも一部を挟んで対応する前記第１の内部電極に対向するように配置され、
前記第３の内部電極は、対応する前記外部電極郡の前記第１の外部電極に物理的且つ電気的に接続されると共に、前記第１の面と前記第２の面との対向方向に平行な方向に伸び且つ少なくともその一部が前記誘電体の少なくとも一部を挟んで対応する前記第１の内部電極に対向するように配置され、
前記各第１のバリスタは、前記第１の面に配置された第１及び第２の電極と、前記第１及び第２の電極の間に位置する領域を含むと共に電圧非直線特性を発現する第１のバリスタ層と、を有すると共に、対応する前記内部電極群の前記第１の内部電極と前記第３の内部電極とによって構成されるコンデンサに並列接続され、
前記各第２のバリスタは、前記第１の面に配置された第３及び第４の電極と、前記第１及び第２の電極の間に位置する領域を含むと共に電圧非直線特性を発現する第２のバリスタ層と、を有すると共に、対応する前記内部電極群の前記第１の内部電極と前記第２の内部電極とによって構成されるコンデンサに並列接続され、
前記各抵抗体は、対応する前記内部電極群の前記第２の内部電極と前記第３の内部電極とにそれぞれ電気的に接続されていることを特徴とするローパスフィルタアレイ。
【請求項５】
Ｎ個の前記内部電極群が、前記誘電体内において、前記第１の内部電極と前記第２及び第３の内部電極との対向方向に沿って併置されており、
互いに隣り合う前記内部電極群間に前記第１の面と前記第２の面との対向方向と平行な前記方向に伸びるように配置されると共に、前記第３の外部電極のいずれかに電気的に接続された内部電極を更に備えることを特徴とする請求項４に記載のローパスフィルタアレイ。
【請求項６】
前記第１のバリスタ層は、前記第１の電極及び前記第２の電極のそれぞれ少なくとも一部を覆うように配置され、
前記第２のバリスタ層は、前記第３の電極及び前記第４の電極のそれぞれ少なくとも一部を覆うように配置され、
前記第１の内部電極は、前記第２の電極と前記第４の電極とに物理的且つ電気的に接続され、
前記第２の内部電極は、前記第３の電極に物理的且つ電気的に接続され、
前記第３の内部電極は、前記第１の電極に物理的且つ電気的に接続され、
前記抵抗体は、前記第１の電極と前記第３の電極とに物理的且つ電気的に接続されていることを特徴とする請求項４に記載のローパスフィルタアレイ。
【請求項７】
前記各第１のバリスタは、前記第１のバリスタ層を挟んで前記第１及び第２の電極に対向するように配置された電極を更に有し、
前記各第２のバリスタは、前記第２のバリスタ層を挟んで前記第３及び第４の電極に対向するように配置された電極を更に有することを特徴とする請求項６に記載のローパスフィルタアレイ。
【請求項８】
Ｎ個の前記内部電極群が、前記誘電体内において、前記第１の内部電極と前記第２及び第３の内部電極との対向方向に沿って併置されており、
前記各第１のバリスタの前記第１及び第２の電極それぞれは、Ｎ個の前記内部電極群の併置方向に沿って併置され、
前記各第１のバリスタの前記第１のバリスタ層は、一体的に形成され、
前記各第２のバリスタの前記第３及び第４の電極それぞれは、Ｎ個の前記内部電極群の併置方向に沿って併置され、
前記各第２のバリスタの前記第２のバリスタ層は、一体的に形成されていることを特徴とする請求項６又は７に記載のローパスフィルタアレイ。
【請求項９】
前記各外部電極群の前記第３の外部電極は、一体的に形成されていることを特徴とする請求項４〜８のいずれか一項に記載のローパスフィルタアレイ。
【発明の詳細な説明】
【技術分野】
【０００１】
本発明は、ローパスフィルタ及びローパスフィルタアレイに関する。
【背景技術】
【０００２】
デジタル家電の増加に伴い、高速伝送回路の需要が増加している。高速伝送回路には、ＥＳＤ保護機能を有するローパスフィルタがある。例えば、コイル及び２つのコンデンサを備えたπ型フィルタと、当該π型フィルタが備える一方のコンデンサに並列接続されたツェナーダイオードと、を備えるローパスフィルタが知られている（例えば、特許文献１参照）。
【特許文献１】特開平１０−１９１５５５号公報
【発明の開示】
【発明が解決しようとする課題】
【０００３】
現在、上記特許文献１に記載されたローパスフィルタを実現するには、コイル部品、コンデンサ部品、及びツェナーダイオードをそれぞれ基板に実装することとなる。よって、上記特許文献１に記載されたローパスフィルタは、実装面積が大きい。特に、ツェナーダイオードは高さ寸法が大きいので、実装する為に必要な領域が大きくなる。
【０００４】
そこで、本発明は、上記問題点を解消する為になされたものであり、ＥＳＤ保護機能を有すると共に実装密度を向上させたローパスフィルタ及びローパスフィルタアレイを提供することを目的とする。
【課題を解決するための手段】
【０００５】
本発明のローパスフィルタは、（１）互いに対向する第１の面と第２の面とを有する誘電体と、（２）該誘電体内に配置された第１〜第３の内部電極とを含むコンデンサと、（３）第１の面に配置された第１のバリスタ及び第２のバリスタと、（４）第１の面に配置された抵抗体と、（５）第２の面に配置された第１〜第３の外部電極と、を備え、第１の内部電極は、第３の外部電極に物理的且つ電気的に接続されると共に、第１の面と第２の面との対向方向に平行な方向に伸びるように配置され、第２の内部電極は、第２の外部電極に物理的且つ電気的に接続されると共に、少なくともその一部が誘電体の少なくとも一部を挟んで第１の内部電極に対向するように配置され、第３の内部電極は、第１の外部電極に物理的且つ電気的に接続されると共に、少なくともその一部が誘電体の少なくとも一部を挟んで第１の内部電極に対向するように配置され、第１のバリスタは、第１の内部電極と第３の内部電極とによって構成されるコンデンサに並列接続され、第２のバリスタは、第１の内部電極と第２の内部電極とによって構成されるコンデンサに並列接続され、抵抗体は、第２の内部電極と第３の内部電極とにそれぞれ電気的に接続されていることを特徴とする。
【０００６】
本発明のローパスフィルタでは、第１の内部電極と第３の内部電極とによって構成されるコンデンサと、第１の内部電極と第２の内部電極とによって構成されるコンデンサと、抵抗体とによってπ型のＲＣフィルタを構成する。そして、第１のバリスタが第１の内部電極と第３の内部電極とによって構成されるコンデンサに並列接続され、第２のバリスタが第１の内部電極と第２の内部電極とによって構成されるコンデンサに並列接続されることにより、ＥＳＤ保護機能を有するローパスフィルタを構成する。また、誘電体の第１の面に第１及び第２のバリスタと抵抗体とが配置され、第２の面に第１〜第３の外部電極が配置されているので、上記構成のローパスフィルタを１チップで実現することができる。よって、ＥＳＤ保護機能を有するローパスフィルタの実装密度を向上させることができる。
【０００７】
好ましくは、第１のバリスタは、第１及び第２の電極と、第１及び第２の電極の間に位置する領域を含むと共に電圧非直線特性を発現する第１のバリスタ層と、を有し、第２のバリスタは、第３及び第４の電極と、第１及び第２の電極の間に位置する領域を含むと共に電圧非直線特性を発現する第２のバリスタ層と、を有する。
【０００８】
この場合、第１の電極と第２の電極との間でバリスタ機能を発現し、第３の電極と第４の電極との間でバリスタ機能を発現することができる。
【０００９】
好ましくは、第１〜第４の電極は、第１の面に配置され、第１のバリスタ層は、第１の電極及び第２の電極のそれぞれ少なくとも一部を覆うように配置され、第２のバリスタ層は、第３の電極及び第４の電極のそれぞれ少なくとも一部を覆うように配置され、第１の内部電極は、第２の電極と第４の電極とに物理的且つ電気的に接続され、第２の内部電極は、第３の電極に物理的且つ電気的に接続され、第３の内部電極は、第１の電極に物理的且つ電気的に接続され、抵抗体は、第１の電極と第３の電極とに物理的且つ電気的に接続されている。
【００１０】
この場合、第１〜第４の電極が第１の面に配置され、第１，第２のバリスタ層が対応する２つの電極を覆うように配置されるので、第１及び第２のバリスタを簡易に構成することができる。また、第１の面と垂直な方向の寸法をより小さくして、上記構成のローパスフィルタをより小型な１チップ部品とすることができる。
【００１１】
好ましくは、第１のバリスタは、第１のバリスタ層を挟んで第１及び第２の電極に対向するように配置された電極を更に有し、第２のバリスタは、第２のバリスタ層を挟んで第３及び第４の電極に対向するように配置された電極を更に有する。
【００１２】
この場合、第１のバリスタにおいて、第１及び第２の電極と当該第１及び第２の電極に対向するように配置された電極との間の領域が電圧非直線特性を発現するので、第１のバリスタは、第１の電極と第２の電極との間において直列接続された２つのバリスタとして機能する。また、第２のバリスタにおいて、第３及び第４の電極と当該第３及び第４の電極に対向するように配置された電極との間の領域が電圧非直線特性を発現するので、第２のバリスタは、第３の電極と第４の電極との間において直列接続された２つのバリスタとして機能する。
【００１３】
本発明のローパスフィルタアレイは、（１）互いに対向する第１の面と第２の面とを有する誘電体と、（２）該誘電体内に配置されると共に第１〜第３の内部電極を有するＮ個（N≧２の整数）の内部電極群とを含むコンデンサと、（３）N個の内部電極群にそれぞれ対応して第１の面に配置されたN個の第１のバリスタ及びN個の第２のバリスタと、（４）N個の内部電極群にそれぞれ対応して第１の面に配置されたN個の抵抗体と、（５）N個の内部電極群にそれぞれ対応して第２の面に配置されると共に、第１〜第３の外部電極を有するＮ個の外部電極群と、を備え、各内部電極群において、第１の内部電極は、対応する外部電極郡の第３の外部電極に物理的且つ電気的に接続されると共に、第１の面と第２の面との対向方向に平行な方向に伸びるように配置され、第２の内部電極は、対応する外部電極郡の第２の外部電極に物理的且つ電気的に接続されると共に、少なくともその一部が誘電体の少なくとも一部を挟んで対応する第１の内部電極に対向するように配置され、第３の内部電極は、対応する外部電極郡の第１の外部電極に物理的且つ電気的に接続されると共に、少なくともその一部が誘電体の少なくとも一部を挟んで対応する第１の内部電極に対向するように配置され、各第１のバリスタは、対応する内部電極群の第１の内部電極と第３の内部電極とによって構成されるコンデンサに並列接続され、各第２のバリスタは、対応する内部電極群の第１の内部電極と第２の内部電極とによって構成されるコンデンサに並列接続され、各抵抗体は、対応する内部電極群の第２の内部電極と第３の内部電極とにそれぞれ電気的に接続されていることを特徴とする。
【００１４】
本発明のローパスフィルタアレイでは、Ｎ個の第１の内部電極とＮ個の第３の内部電極とによって構成されるＮ個のコンデンサと、Ｎ個の第１の内部電極とＮ個の第２の内部電極とによって構成されるＮ個のコンデンサと、Ｎ個の抵抗体と、によってＮ個のπ型のＲＣフィルタを構成する。そして、Ｎ個の第１のバリスタがＮ個の第１の内部電極とＮ個の第３の内部電極とによって構成されるＮ個のコンデンサにそれぞれ並列接続され、Ｎ個の第２のバリスタがＮ個の第１の内部電極とＮ個の第２の内部電極とによって構成されるＮ個のコンデンサにそれぞれ並列接続される。よって、本発明のローパスフィルタアレイは、ＥＳＤ保護機能を有するＮ個のローパスフィルタを構成する。また、誘電体の第１の面にＮ個の第１及び第２のバリスタとＮ個の抵抗体とが配置され、第２の面にＮ個の第１〜第３の外部電極が配置されているので、上記構成のローパスフィルタアレイを１チップで実現することができる。よって、ＥＳＤ保護機能を有するローパスフィルタアレイの実装密度を向上させることができる。
【００１５】
好ましくは、Ｎ個の内部電極群が、誘電体内において、第１の内部電極と第２及び第３の内部電極との対向方向に沿って併置されており、互いに隣り合う内部電極群間に第１の面と第２の面との対向方向と平行な方向に伸びるように配置されると共に、第３の外部電極のいずれかに電気的に接続された内部電極を更に備える。
【００１６】
この場合、内部電極が、互いに隣り合う内部電極群間に配置されると共に第３の外部電極のいずれかに電気的に接続されるので、シールド効果を発揮する。よって、互いに隣り合う内部電極群間のクロストークを抑制することができる。
【００１７】
好ましくは、各第１のバリスタは、第１及び第２の電極と、第１及び第２の電極の間に位置する領域を含むと共に電圧非直線特性を発現する第１のバリスタ層と、を有し、各第２のバリスタは、第３及び第４の電極と、第１及び第２の電極の間に位置する領域を含むと共に電圧非直線特性を発現する第２のバリスタ層と、を有する。
【００１８】
この場合、各第１のバリスタは、第１の電極と第２の電極との間でバリスタ機能を発現することができる。また、各第２のバリスタは、第３の電極と第４の電極との間でバリスタ機能を発現することができる。
【００１９】
好ましくは、第１〜第４の電極は、第１の面に配置され、第１のバリスタ層は、第１の電極及び第２の電極のそれぞれ少なくとも一部を覆うように配置され、第２のバリスタ層は、第３の電極及び第４の電極のそれぞれ少なくとも一部を覆うように配置され、第１の内部電極は、第２の電極と第４の電極とに物理的且つ電気的に接続され、第２の内部電極は、第３の電極に物理的且つ電気的に接続され、第３の内部電極は、第１の電極に物理的且つ電気的に接続され、抵抗体は、第１の電極と第３の電極とに物理的且つ電気的に接続されている。
【００２０】
この場合、第１〜第４の電極が第１の面に配置され、第１，第２のバリスタ層が対応する２つの電極を覆うように配置されるので、各第１及び各第２のバリスタを簡易に構成することができる。また、第１の面と垂直な方向の寸法をより小さくして、上記構成のローパスフィルタアレイをより小型な１チップ部品とすることができる。
【００２１】
好ましくは、各第１のバリスタは、第１のバリスタ層を挟んで第１及び第２の電極に対向するように配置された電極を更に有し、各第２のバリスタは、第２のバリスタ層を挟んで第３及び第４の電極に対向するように配置された電極を更に有する。
【００２２】
この場合、各第１のバリスタにおいて、第１及び第２の電極と当該第１及び第２の電極に対向するように配置された電極との間の領域が電圧非直線特性を発現するので、各第１のバリスタは、第１の電極と第２の電極との間において直列接続された２つのバリスタとして機能する。また、各第２のバリスタにおいて、第３及び第４の電極と当該第３及び第４の電極に対向するように配置された電極との間の領域が電圧非直線特性を発現するので、各第２のバリスタは、第３の電極と第４の電極との間において上記領域が直列接続された２つのバリスタとして機能する。
【００２３】
好ましくは、Ｎ個の内部電極群が、誘電体内において、第１の内部電極と第２及び第３の内部電極との対向方向に沿って併置されており、各第１のバリスタの第１及び第２の電極それぞれは、Ｎ個の内部電極群の併置方向に沿って併置され、各第１のバリスタの第１のバリスタ層は、一体的に形成され、各第２のバリスタの第３及び第４の電極それぞれは、Ｎ個の内部電極群の併置方向に沿って併置され、各第２のバリスタの第２のバリスタ層は、一体的に形成されている。
【００２４】
この場合、第１，第２のバリスタ層が補強材として機能し、ローパスフィルタの機械強度を強化することができる。
【００２５】
好ましくは、各外部電極群の第３の外部電極は、一体的に形成されている。
【発明の効果】
【００２６】
本発明によれば、ＥＳＤ保護機能を有すると共に、実装密度を向上させたローパスフィルタ及びローパスフィルタアレイを提供することができる。
【発明を実施するための最良の形態】
【００２７】
以下、添付図面を参照して、本発明を実施するための最良の形態を詳細に説明する。なお、図面の説明において同一の要素に同一の符号を付し、重複する説明を省略する。
【００２８】
（第１実施形態）
第１実施形態に係るローパスフィルタについて説明する。図１は、第１実施形態に係るローパスフィルタＦ１を示す平面図である。本実施形態に係るローパスフィルタＦ１は、コンデンサ部１と、バリスタ抵抗部３と、一対の入出力端子電極５，７（第１，第２の外部電極）と、グランド端子電極９（第３の外部電極）と、を備える。
【００２９】
コンデンサ部１は、略直方体形状に形成され、互いに対向する第１の面１ａと第２の面１ｂと、第１，第２の面１ａ，１ｂに垂直であると共に互いに対向する端面１ｃと端面１ｄとを有する。バリスタ抵抗部３は、コンデンサ部１の第１の面１ａに配置されている。コンデンサ部１とバリスタ抵抗部３とが、本体４を構成する。本体４は、略直方体形状を呈している。例えば、本体４は、縦寸法が０．５ｍｍ程度、横寸法が１．６ｍｍ程度、厚さ寸法が０．６ｍｍ程度である。
【００３０】
一対の入力端子電極５，７は、一方が入力端子電極として機能し、他方が出力端子電極として機能する。グランド端子電極９は、ローパスフィルタＦ１が実装される外部基盤（図示せず）のグランドパターンに接続される。
【００３１】
入出力端子電極５，７及びグランド端子電極９は、互いに電気的に絶縁されて第２の面１ｂに配置されている。入出力端子電極５は、端面１ｃ側に配置されている。入出力端子電極７は、端面１ｄ側に配置されている。グランド端子電極９は、入出力端子電極５と入出力端子電極７との間に配置されている。入出力端子電極５，７及びグランド端子電極９により、ボールグリットアレイ構造を構成している。
【００３２】
入出力端子電極５は、第２の面１ｂに形成された金属パット５ａと、金属パット５ａに物理的且つ電気的に接続されたはんだボール５ｂとを備えている。金属パット５ａは、第２の面１ｂに垂直な方向から見て略矩形状に形成されている。
【００３３】
入出力端子電極７は、第２の面１ｂに形成された金属パット７ａと、金属パット７ａに物理的且つ電気的に接続されたはんだボール７ｂとを備えている。金属パット７ａは、第２の面１ｂに垂直な方向から見て略矩形状に形成されている。
【００３４】
グランド端子電極９は、第２の面１ｂに形成された金属パット９ａと、金属パット９ａに物理的且つ電気的に接続されたはんだボール９ｂとを備えている。金属パット９ａは、第２の面１ｂに垂直な方向から見て略矩形状に形成されている。
【００３５】
図２は、第１実施形態に係るローパスフィルタに含まれるバリスタ抵抗部を示す図である。図３は、第１実施形態に係るローパスフィルタの断面図である。バリスタ抵抗部３は、保護層３０と、第１のバリスタＶ４０と、第２のバリスタＶ５０と、抵抗体Ｒ６０とを備えている。第１，第２のバリスタＶ４０，Ｖ５０及び抵抗体Ｒ６０は、コンデンサ部１の第１の面１ａに配置されている。
【００３６】
保護層３０は、第１，第２のバリスタＶ４０，Ｖ５０及び抵抗体Ｒ６０を覆うように第１の面１ａに形成されている。保護層３０は、バリスタ抵抗部３の外形を形成し、第１，第２のバリスタＶ４０，Ｖ５０と抵抗体Ｒ６０とは、保護層３０の内部に配置されることとなる。
【００３７】
保護層３０は、ガラスを主成分とする絶縁体である。保護層３０は、第１，第２のバリスタＶ４０，Ｖ５０及び抵抗体Ｒ６０を外部と電気的に絶縁する機能を有する。また、保護層は、第１，第２のバリスタＶ４０，Ｖ５０及び抵抗体Ｒ６０を保護する機能を有する。図２は、バリスタ抵抗部の平面図であり、保護層３０は省略されている。
【００３８】
第１のバリスタＶ４０は、第１の面１ａにおける端面１ｃ側に配置されている。第２のバリスタＶ５０は、第１の面１ａにおける端面１ｄ側に配置されている。抵抗体Ｒ６０は、第１の面１ａにおける第１のバリスタＶ４０と第２のバリスタＶ５０との間に配置されている。
【００３９】
第１のバリスタＶ４０は、第１のバリスタ電極４１（第１の電極）と、第２のバリスタ電極４２（第２の電極）と、第３のバリスタ電極４３（電極）と、第１のバリスタ層４４とを備えている。
【００４０】
第１のバリスタ電極４１は、第１の面１ａにおける抵抗体Ｒ６０側に配置されている。第２のバリスタ電極４２は、第１の面１ａにおける端面１ｃ側に配置されている。第１のバリスタ電極４１と第２のバリスタ電極４２とは、互いに電気的に絶縁されている。第１，第２のバリスタ電極４１，４２は、第１の面１ａと垂直な方向から見てそれぞれ略長方形状を呈している。
【００４１】
第１のバリスタ層４４は、第１の面１ａに配置されると共に、第１のバリスタ電極４１の端面１ｃ側の部分と第２のバリスタ電極４２全体を覆うように形成されている。すなわち、第１のバリスタ層４４は、第１のバリスタ電極４１を覆う部分と、第２のバリスタ電極４２を覆う部分と、第１の面１ａを覆う部分とを有する。第１のバリスタ層４４の第１の面１ａを覆う部分の一部は、第１のバリスタ電極４１と第２のバリスタ電極４２との間に位置する。第１のバリスタ層４４は、第１の面１ａと垂直な方向から見て略長方形状を呈している。第１のバリスタ層４４は、電圧非直線特性を発現する。第１のバリスタ層４４は、ＺｎＯを主成分とし、Ｃｏを含有する。
【００４２】
第３のバリスタ電極４３は、第１のバリスタ層４４に配置される。第３のバリスタ電極４３は、第１の面１ａに垂直な方向から見て略長方形状を呈している。第３のバリスタ電極４３は、第１のバリスタ層４４を間に挟んで第１のバリスタ電極４１の一部と対向するように配置される。また、第３のバリスタ電極４３は、第１のバリスタ層４４を間に挟んで第２のバリスタ電極４２の一部と対向するように配置される。
【００４３】
第１のバリスタ層４４は、第１の面１ａに垂直な方向から見て、第１のバリスタ電極４１と第３のバリスタ電極４３と互いに重なり合う領域を有する。よって、第１のバリスタ電極４１と第３のバリスタ電極４３と第１のバリスタ層４４とが、１つのバリスタとして機能する。また、第１のバリスタ層４４は、第１の面１ａに垂直な方向から見て、第２のバリスタ電極４２と第３のバリスタ電極４３と互いに重なり合う領域を有する。よって、第２のバリスタ電極４２と第３のバリスタ電極４３と第１のバリスタ層４４とが、１つのバリスタとして機能する。すなわち、第１のバリスタＶ４０は、第１のバリスタ電極４１と第２のバリスタ電極４２との間において、直列接続された２つのバリスタとして機能する。
【００４４】
第２のバリスタＶ５０は、第１のバリスタ電極５１（第３の電極）と、第２のバリスタ電極５２（第４の電極）と、第３のバリスタ電極５３（電極）と、第２のバリスタ層５４とを備えている。
【００４５】
第１のバリスタ電極５１は、第１の面１ａにおける抵抗体Ｒ６０側に配置されている。第２のバリスタ電極５２は、第１の面１ａにおける端面１ｄ側に配置されている。第１のバリスタ電極５１と第２のバリスタ電極５２とは、互いに電気的に絶縁されている。第１，第２のバリスタ電極５１，５２は、第１の面１ａと垂直な方向から見てそれぞれ略長方形状を呈している。
【００４６】
第２のバリスタ層５４は、第１の面１ａに配置されると共に、第１のバリスタ電極５１の端面１ｄ側の部分と第２のバリスタ電極５２全体を覆うように形成されている。すなわち、第２のバリスタ層５４は、第１のバリスタ電極５１を覆う部分と、第２のバリスタ電極５２を覆う部分と、第１の面１ａを覆おう部分とを有する。第２のバリスタ層５４の第１の面１ａを覆う部分の一部は、第１のバリスタ電極５１と第２のバリスタ電極５２との間に位置する。第２のバリスタ層５４は、第１の面１ａと垂直な方向から見て略長方形状を呈している。第２のバリスタ層５４は、電圧非直線特性を発現する。第２のバリスタ層５４は、ＺｎＯを主成分とし、Ｃｏを含有する。
【００４７】
第３のバリスタ電極５３は、第２のバリスタ層５４に配置される。第３のバリスタ電極５３は、第１の面１ａに垂直な方向から見て略長方形状を呈している。第３のバリスタ電極５３は、第２のバリスタ層５４を間に挟んで第１のバリスタ電極５１の一部と対向するように配置される。また、第３のバリスタ電極５３は、第２のバリスタ層５４を間に挟んで第２のバリスタ電極５２の一部と対向するように配置される。
【００４８】
第２のバリスタ層５４は、第１の面１ａに垂直な方向から見て、第１のバリスタ電極５１と第３のバリスタ電極５３と互いに重なり合う領域を有する。よって、第１のバリスタ電極５１と第３のバリスタ電極５３と第２のバリスタ層５３とが、１つのバリスタとして機能する。また、第２のバリスタ層５４は、第１の面１ａに垂直な方向から見て、第２のバリスタ電極５２と第３のバリスタ電極５３と互いに重なり合う領域を有する。よって、第２のバリスタ電極５２と第３のバリスタ電極５３と第２のバリスタ層５４とが、１つのバリスタとして機能する。すなわち、第２のバリスタＶ５０は、第１のバリスタ電極５１と第２のバリスタ電極５２との間において、直列接続された２つのバリスタとして機能する。
【００４９】
抵抗体Ｒ６０は、第１の面１ａに配置されると共に、第１のバリスタ電極４１の抵抗体Ｒ６０側の部分と第１のバリスタ電極５１の抵抗体Ｒ６０側の部分とを覆うように配置される。抵抗体Ｒ６０は、第１のバリスタ電極４１，５１に物理的且つ電気的に接続されている。また、抵抗体Ｒ６０は、第１の面１ａに垂直な方向から見て略長方形状を呈している。
【００５０】
図４は、第１実施形態に係るローパスフィルタに含まれるコンデンサ部を示す分解図である。図５は、図３におけるV−V線に沿った断面構成を示す模式図である。図６は、図３におけるVI−VI線に沿った断面構成を示す模式図である。
【００５１】
コンデンサ部１は、誘電体１１と、第１の内部電極２１，２３，２５、第２の内部電極２２，２４、及び第３の内部電極２６が形成された複数（本実施形態においては、６層）の誘電体１２〜１７とが積層されることにより構成される。実際のローパスフィルタＦ１では、複数の誘電体１１〜１７は、当該誘電体１１〜１７間の境界が視認できない適度に一体化されている。誘電体１１〜１７は、ＢａＴｉＯ３を主成分とし、Ｃｏを含有する。
【００５２】
各誘電体１１〜１７は略長方形の板状である。誘電体１１〜１７が積層されることにより略直方体形状の誘電体１０が構成される。この誘電体１０は、コンデンサ部１の外形を形成する。すなわち、誘電体１０は、互いに対向する第１の面１ａと第２の面１ｂと、互いに対向する端面１ｃと端面１ｄとを有する。誘電体１１〜１７の積層方向は、コンデンサ部１の第１の面１ａと第２の面１ｂとが対向する方向に垂直、且つ、コンデンサ部１の端面１ｃと端面１ｄとが対向する方向に垂直な方向である。すなわち、各誘電体１１〜１７は、長手方向と平行で互いに対向する側面がそれぞれコンデンサ部１の第１の面１ａと第２の面１ｂとを構成することとなる。また、誘電体１１〜１７は、短手方向と平行で互いに対向する側面がそれぞれコンデンサ部１の端面１ｃと端面１ｄとを構成することとなる。
【００５３】
第１の内部電極２１，２３，２５は、誘電体１２，１４，１６に略直方形状のパターンがそれぞれ印刷されることにより形成されている。第１の内部電極２１，２３，２５は、主電極部２１ａ，２３ａ，２５ａと、第１の引出部２１ｂ，２３ｂ，２５ｂと、第２の引出部２１ｃ，２３ｃ，２５ｃと、第３の引出部２１ｄ，２３ｄ，２５ｄと、を含む。主電極部２１ａ，２３ａ，２５ａは、略直方形状を呈している。また、主電極部２１ａ，２３ａ，２５ａは、中央部が誘電体１２，１４，１６の中央部に位置するように形成されている。
【００５４】
第１の引出部２１ｂ，２３ｂ，２５ｂは、主電極部２１ａ，２３ａ，２５ａの第１の面１ａ側における端面１ｃ側の部分から第１の面１ａへ引き出され、第１の面１ａに露出している。第２の引出部２１ｃ，２３ｃ，２５ｃは、誘電体２１ａ，２３ａ，２５ａの第２の面１ｂ側における中央部分から第２の面１ｂへ引き出され、第２の面１ｂに露出している。第３の引出部２１ｄ，２３ｄ，２５ｄは、主電極部２１ａの第１の面１ａ側における端面１ｄ側の部分から第１の面１ａへ引き出され、第１の面１ａに露出している。
【００５５】
第２の内部電極２２，２４は、誘電体１３，１５に略長方形状のパターンが印刷されることにより形成されている。第２の内部電極２２，２４は、主電極部２２ａ，２４ａと、第１の引出部２２ｂ，２４ｂと、第２の引出部２２ｃ，２４ｃと、を含む。主電極部２２ａ，２４ａは、略直方形状を呈している。また、主電極部２２ａ，２４ａは、中央部が誘電体１２，１４，１６の中央部に位置するように形成されている。
【００５６】
第１の引出部２２ｂ，２４ｂは、主電極部２２ａ，２４ａの第１の面１ａ側における中央部分と端面１ｄ側の部分との中間付近から第１の面１ａへ引き出され、第１の面１ａに露出している。第２の引出部２２ｃ，２４ｃは、主電極部２２ａ，２４ａの第２の面１ｂにおける中央部分と端面１ｄ側の部分との中間付近から第２の面１ｂへ引き出され、第２の面１ｂに露出している。
【００５７】
第３の内部電極２６は、誘電体１７にライン状のパターンが印刷されることにより形成されている。第３の内部電極２６は、誘電体１７の中央部と端面１ｃ側の部分との中間付近に、誘電体１７の端面１ｃ側の縁と平行に形成されている。第３の内部電極２６は、一方の端部２６ａが第１の面１ａに露出し、他方の端部２６ｂが第２の面１ｂに露出している。
【００５８】
第１の内部電極２１と第２の内部電極２２とは、誘電体１２を挟んで主電極部２１ａと主電極部２２ａとが互いに対向するように積層されている。第２の内部電極２２と第１の内部電極２３とは、誘電体１３を挟んで主電極部２２ａと主電極部２３ａとが互いに対向するように積層されている。第１の内部電極２３と第２の内部電極２４とは、誘電体１４を挟んで主電極部２３ａと主電極部２４ａとが互いに対向するように積層されている。第２の内部電極２４と第１の内部電極２５とは、誘電体１５を挟んで主電極部２４ａと主電極部２５ａとが互いに対向するように積層されている。第１の内部電極２５と第３の内部電極２６とは、誘電体１６を挟んで一部が互いに対向するように積層されている。
【００５９】
第１〜第３の内部電極２１〜２６は、互いに対向する面が第１及び第２の面１ａ，１ｂと垂直に配置されている。すなわち、第１〜第３の内部電極２１〜２６は、第１の面１ａと第２の面１ｂとの対向方向に平行な方向に伸びるように配置されている。また、第１，第２の内部電極２１〜２５は、主電極部２１ａ〜２５ａが積層方向から見て互いに重なるように配置されている。
【００６０】
図５に示すように、第２の面１ｂにおいて第２の引出部２１ｃ，２３ｃ，２５ｃが露出した位置には、金属パッド９ａが配置され、第２の引出部２１ｃ，２３ｃ，２５ｃと金属パッド９ａとが互いに物理的且つ電気的に接続される。すなわち、第１の内部電極２１，２３，２５とグランド端子電極９とが互いに物理的且つ電気的に接続される。
【００６１】
また、第２の面１ｂにおいて第２の引出部２２ｃ，２４ｃが露出した位置には、電極パット７ａが配置され、第２の引出部２２ｃ，２４ｃと電極パット７ａとが互いに物理的且つ電気的に接続される。すなわち、第２の内部電極２２，２４と入出力端子電極７とが互いに物理的且つ電気的に接続される。
【００６２】
また、第２の面１ｂにおいて第３の内部電極２６の端部２６ｂが露出した位置には、金属パッド５ａが配置され、第３の内部電極２６の端部２６ｂと金属パッド５ａとが互いに物理的且つ電気的に接続される。すなわち、第３の内部電極２６と入出力端子電極５とが互いに物理的且つ電気的に接続される。
【００６３】
図６に示すように、第１の面１ａにおいて第１の引出部２１ｂ，２３ｂ，２５ｂが露出した位置には、第２のバリスタ電極４２が配置され、第１の引出部２１ｂ，２３ｂ，２５ｂと第２のバリスタ電極４２とが互いに物理的且つ電気的に接続される。すなわち、第１の内部電極２１，２３，２５と第２のバリスタ電極４２とが互いに物理的且つ電気的に接続される。
【００６４】
また、第１の面１ａにおいて第３の引出部２１ｄ，２３ｄ，２５ｄが露出した位置には、第２のバリスタ電極５２が配置され、第３の引出部２１ｄ，２３ｄ，２５ｄと第２のバリスタ電極５２とが互いに物理的且つ電気的に接続される。すなわち、第１の内部電極２１，２３，２５と第２のバリスタ電極５２とが互いに物理的且つ電気的に接続される。
【００６５】
また、第１の面１ａにおいて第１の引出部２２ｂ，２４ｂが露出した位置には、第１のバリスタ電極５１が配置され、第１の引出部２２ｂ，２４ｂと第１のバリスタ電極５１とが互いに物理的且つ電気的に接続される。すなわち、第２の内部電極２２，２４と第１バリスタ電極５１とが互いに物理的且つ電気的に接続される。
【００６６】
また、第１の面１ａにおいて、第３の内部電極２６の端部２６ａが露出した位置には、第１のバリスタ電極４１が配置され、端部２６ａと第１のバリスタ電極４１とが互いに物理的且つ電気的に接続されることとなる。すなわち、第３の内部電極２６と第１のバリスタ電極４１とが互いに物理的且つ電気的に接続される。
【００６７】
以上により、第１の内部電極２５と第３の内部電極２６と誘電体１６とが、第１のコンデンサＣ１を構成する。第１及び第２の内部電極２１〜２５と誘電体１２〜１５とが、第２のコンデンサＣ２を構成する。
【００６８】
また、第１の内部電極２１，２３，２５が第２のバリスタ電極４２に物理的且つ電気的に接続され、第３の内部電極２６が第１のバリスタ電極４１に物理的且つ電気的に接続されている。すなわち、第１のコンデンサＣ１と第１のバリスタＶ４０とが互いに並列接続される。また、第１のコンデンサＣ１の第３の内部電極２６は、第１のバリスタ電極４１を介して抵抗体Ｒ６０に電気的に接続されることとなる。
【００６９】
第１の内部電極２１，２３，２５が第２のバリスタ電極５２に物理的且つ電気的に接続され、第２の内部電極２２，２４が第１のバリスタ電極５１に物理的且つ電気的に接続されている。すなわち、第２のコンデンサＣ２と第２のバリスタＶ５０とが互いに並列接続される。また、第２のコンデンサＣ２の第２の内部電極２２，２４は、第１のバリスタ電極５１を介して抵抗体Ｒ６０に電気的に接続されることとなる。
【００７０】
第１の内部電極２１，２３，２５がグランド端子電極９に物理的且つ電気的に接続される。よって、第１のバリスタＶ４０の第２のバリスタ電極４２が、第１の内部電極２１，２３，２５を介してグランド端子電極９に物理的且つ電気的に接続される。また、第２のバリスタＶ５０の第２のバリスタ電極５２が、第１の内部電極２１，２３，２５を介してグランド端子電極９に物理的且つ電気的に接続される。
【００７１】
すなわち、図７に示すように、ローパスフィルタＦ１では、第１のコンデンサＣ１及び第２のコンデンサＣ２と抵抗体Ｒ６０とによりπ型のＲＣフィルタが構成されると共に、第１のコンデンサＣ１に並列接続された第１のバリスタＶ４０と、第２のコンデンサＣ２に並列接続された第２のバリスタＶ５０を備えてＥＳＤ保護機能を有するローパスフィルタが構成されることとなる。
【００７２】
引き続いて、ローパスフィルタＦ１の作製方法を説明する。まず、誘電体１１〜１７を構成することとなる誘電体グリーンシートを用意する。誘電体グリーンシートは、ＢａＴｉＯ３を主成分にＣｏを含有する混合粉を原料としたスラリーをフィルム上にドクターブレード法により塗布して形成したものを用いることができる。
【００７３】
次に、誘電体１２〜１７を構成することとなる誘電体グリーンシートに第１〜第３の内部電極２１〜２６に対応する導体パターンをそれぞれ形成する。各導体パターンは、例えば、銀又はニッケルを主成分とする導体ペーストをスクリーン印刷した後、乾燥することによって形成される。そして、各グリーンシートを順次積層して圧着し、チップ単位に切断した後に所定の温度（例えば、８００〜９００℃）にて焼成する。これにより、コンデンサ部１が形成されることとなる。
【００７４】
続いて、第１〜第３のバリスタ電極４１〜４３、５１〜５３に対応する電極部分と第１及び第２のバリスタ層４４，５４に対応する部分を所定の順序でコンデンサ部１の第１の面１ａに印刷して焼き付けることにより形成する。第１及び第２のバリスタ層４４，５４は、ＺｎＯを主成分としてＣｏを含有する材料で形成される。第１及び第２のバリスタ層４４，５４と誘電体１１〜１７とは、双方がＣｏを含有するので、第１及び第２のバリスタ層４４，５４と誘電体１１〜１７との境界面においてＣｏが拡散することを防止できる。よって、第１及び第２のバリスタ層４４，５４と誘電体１１〜１７との特性の変化を防止することができる。
【００７５】
そして、抵抗体Ｒ６０を第１の面１ａに形成した後に、第１及び第２のバリスタＶ４０，Ｖ５０と抵抗体６０とを覆うように保護層３０を形成する。保護層３０は、ガラスを主成分とする材料によって形成する。次に、第２の面１ｂに、金属パット５ａ，７ａ，９ａ用の導電性ペーストを印刷後、焼き付けて、金属パット５ａ，７ａ，９ａを形成する。その後、はんだボール５ｂ，７ｂ，９ｂを形成して、入出力端子電極５，７及びグランド端子電極９を形成する。以上のようにしてローパスフィルタＦ１が完成する。
【００７６】
本実施形態のローパスフィルタＦ１では、第１の内部電極２１，２３，２５と第３の内部電極２６とによって第１のコンデンサＣ１が構成される。また、第１の内部電極２１，２３，２５と第２の内部電極２２，２４とによって第２のコンデンサＣ２が構成される。この第１，第２のコンデンサＣ１，Ｃ２と抵抗体Ｒ６０とによってπ型のＲＣフィルタが構成される。そして、第１のバリスタＶ４０が第１のコンデンサＣ１に並列接続され、第２のバリスタＶ５０が第２のコンデンサＣ２に並列接続されることにより、ＥＳＤ保護機能を有するローパスフィルタが構成される。更に、コンデンサ部１の第１の面１ａに第１及び第２のバリスタＶ４０，Ｖ５０と抵抗体Ｒ６０とが配置され、第２の面１ｂに入出力端子電極５，７及びグランド端子電極９が配置されている。よって、上記構成のローパスフィルタを１チップで実現することができる。すなわち、ＥＳＤ保護機能を有するローパスフィルタの実装密度を向上させることができる。
【００７７】
また、本実施形態のローパスフィルタＦ１では、第１，第２のバリスタ電極４１，４２，５１，５２が第１の面１ａに配置され、第１，第２のバリスタ層４４，５４が対応する２つのバリスタ電極４１，４２，５１，５２を覆うように配置されている。よって、第１及び第２のバリスタＶ４０，Ｖ５０を簡易に構成することができる。また、第１の面１ａと垂直な方向の寸法をより小さくして、上記構成のローパスフィルタをより小型な１チップ部品とすることができる。
【００７８】
また、本実施形態のローパスフィルタＦ１では、ＥＳＤ保護用の部品として、バリスタを用いるので、ツェナーダイオードを用いる場合よりも安価に製造することができる。
【００７９】
ところで、ＥＳＤ保護機能を有するローパスフィルタを、２つのバリスタと抵抗とを備えるπ型のフィルタによって実現する方法も考えられる。しかしながら、バリスタを用いて所望の容量を得ることは困難である。よって、本実施形態のように、第１及び第２のコンデンサＣ１，Ｃ２をバリスタに並列接続することにより、確実に容量を確保することができる。
【００８０】
本発明は、上記実施形態に限定されるものではなく、種々の変形が可能である。例えば、上記実施例では、ローパスフィルタＦ１が抵抗体Ｒ６０を備えていたが、替わりにインダクタ備えてもよい。この場合、インダクタと２つのコンデンサとによるπ型のＬＣフィルタを構成することとなる。
【００８１】
また、第１，第２のバリスタＶ４０，Ｖ５０の構成は、第１の面１ａに配置され、第１，第２のコンデンサＣ１，Ｃ２にそれぞれ並列接続されていれば、上記構成に限られない。例えば、第３のバリスタ電極４３，５３は、なくてもよい。
【００８２】
（第２実施形態）
第２実施形態に係るローパスフィルタアレイについて説明する。図８は、第２実施形態に係るローパスフィルタアレイに含まれるバリスタ抵抗部を示す図である。図９は、第２実施形態に係るローパスフィルタアレイの断面構造を示す模式図である。図１０は、図９におけるＸ−Ｘ線に沿った断面構成を示す模式図である。本実施形態に係るローパスフィルタアレイＦ３は、コンデンサ部１００と、バリスタ抵抗部３００と、Ｎ（Ｎ≧２の整数；本実施形態では、Ｎ＝４）対の入出力端子電極５，７（第１，第２の外部電極）と、グランド端子電極９０（第３の外部電極）と、を備える。
【００８３】
コンデンサ部１００は、略直方体形状に形成され、互いに対向する第１の面１００ａと第２の面１００ｂと、第１，第２の面１００ａ，１００ｂに垂直であると共に互いに対向する面１００ｃと面１００ｄとを有する。バリスタ抵抗部３００は、コンデンサ部１００の第１の面１００ａに配置されている。コンデンサ部１００とバリスタ抵抗部３００とにより本体４００が構成される。本体４００は、略直方体形状を呈している。例えば、本体４００は、縦寸法が２．１ｍｍ程度、横寸法が１．６ｍｍ程度、厚さ寸法が０．６ｍｍ程度である。
【００８４】
コンデンサ部１００は、４個のコンデンサ部１と、３個（本実施形態では、３個）の第４の内部電極７０とを有する。すなわち、コンデンサ部１００は、誘電体１１〜１７を有するＮ個の誘電体１０と、第１〜第３の内部電極２１〜２６を有するＮ個の内部電極群と、３個の第４の外部電極７０とを有する。
【００８５】
４個のコンデンサ部１は、コンデンサ部１００において、４組の第１〜第３の内部電極２１〜２６が積層方向から見て互いに重なり合うように配置されている。すなわち、コンデンサ部１００では、４個の内部電極群が第１〜第３の内部電極２１〜２６の対向方向に沿って併置されている。この内部電極群の併置方向は、誘電体１１〜１７の積層方向と平行である。また、互いに隣り合う一方のコンデンサ部１の誘電体１７と他方のコンデンサ部１の誘電体１１とは、境界が視認できない程度に一体化されている。
【００８６】
また、コンデンサ部１００は、互いに対向する第１の面１００ａと第２の面１００ｂとを有する。第１の面１００ａは、４個のコンデンサ部１の４つの第１の面１ａによって構成されることとなる。第２の面１００ａは、４個のコンデンサ部１の４つの第２の面１ｂによって構成されることとなる。
【００８７】
３個の第４の内部電極７０は、主面が第１，第２の内部電極２１〜２５の主面と平行となるように各コンデンサ部１の間にそれぞれ配置されている。第４の内部電極７０は、互いに隣り合う一方のコンデンサ部１の誘電体１７と他方のコンデンサ部１の誘電体１１との間に配置されている。すなわち、第４の内部電極７０は、互いに隣り合う各組の第１〜第３の内部電極２１〜２６の間に配置される。
【００８８】
第４の内部電極７０は、主電極部７０ａと引出部７０ｂとを含む。主電極部７０ａは、略長方形状に形成されて、その中央部が各誘電体１１の中央部と重なるように形成される。引出部７０ｂは、主電極部７０ａの中央部の第２の面１ｂ側から引き出され、第２の面１ｂに露出する。
【００８９】
４対の入力端子電極５，７は、４個のコンデンサ部１にそれぞれ対応すると共に、一方が入力端子電極として機能し、他方が出力端子電極として機能する。グランド端子電極９０は、４個のコンデンサ部１全てに対応すると共に、ローパスフィルタアレイＦ３が実装される外部基盤（図示せず）のグランドパターンに接続される。
【００９０】
各入出力端子電極５，７とグランド端子電極９０は、上述したように、金属パット５ａ，７ａ，９０ａとはんだボール５ｂ，７ｂ，９０ｂとを備えて構成される。４対の入出力端子電極５，７及びグランド端子電極９０は、互いに電気的に絶縁されて、コンデンサ部１００の第２の面１００ｂに配置されている。４個の入出力端子電極５は、第２の面１００ｂにおける面１００ｃ側に積層方向に沿って１列に配列して配置されている。４個の入出力端子電極７は、第２の面１００ｂにおける面１００ｄ側に積層方向にそって１列に配列して配置されている。一対の入出力端子電極５，７は、第２の面１００ｂにおいて積層方向と垂直な方向に並んで配置されている。
【００９１】
各入出力端子電極５は、対応するコンデンサ部１が有する第３の内部電極２６に物理的且つ電気的に接続されている。各入出力端子電極７は、対応する第２の内部電極２２，２４に物理的且つ電気的に接続されている。
【００９２】
グランド端子電極９０の金属パット９０ａは、第２の面１ｂと垂直な方向から見て略長方形状に形成されている。金属パット９０ａは、入出力端子電極５の列と入出力端子電極７の列との間に長手方向が積層方向と平行となるように配置される。金属パット９０ａは、入出力端子電極５，７の列の一方端から他方端まで伸びている。
【００９３】
グランド端子電極９０の金属パット９０ａは、第２の面１００ｂにおいて４個の第１の内部電極２１，２３，２５の第２の引出部２１ｃ，２３ｃ，２５ｃと３個の第４の内部電極７０の引出部７０ｂとが露出する領域を覆うように形成されている。金属パット９０ａは、４個の第２の引出部２１ｃ，２３ｃ，２５ｃ及び３個の引出部７０ｂにそれぞれ物理的且つ電気的に接続されている。すなわち、グランド端子電極９０は、４個の第１の内部電極２１，２３，２５及び３個の第４の内部電極７０に物理的且つ電気的に接続されている。
【００９４】
バリスタ抵抗部３００は、保護層３０と、４個のコンデンサ部１に対応する４個の第１のバリスタＶ４０、４個の第２のバリスタＶ５０、及び４個の抵抗体Ｒ６０を備えている。４個の第１，第２のバリスタＶ４０，Ｖ５０及び抵抗体Ｒ６０は、コンデンサ部１００の第１の面１００ａに配置されている。
【００９５】
保護層３０は、上述したように、第１，第２のバリスタＶ４０，Ｖ５０及び抵抗体Ｒ６０を保護すると共に外部と電気的に絶縁する機能を有する。なお、図８は、バリスタ抵抗部の平面図であり、保護層３０は省略されている。
【００９６】
４個の第１のバリスタＶ４０は、第１の面１ａにおける端面１ｃ側に積層方向に沿って一列に配列して配置されている。４個の第２のバリスタＶ５０は、第１の面１ａにおける端面１ｄ側に積層方向に沿って一列に配列して配置されている。４個の抵抗体Ｒ６０は、第１の面１ａにおける第１のバリスタＶ４０と第２のバリスタＶ５０との間に積層方向に沿って一列に配列して配置されている。互いに対応する第１のバリスタＶ４０と第２のバリスタＶ５０と抵抗体Ｒ６０とは、第２の面１００ｂにおいて積層方向と垂直な方向に並んで配列されている。
【００９７】
各第１のバリスタＶ４０と各第２のバリスタＶ５０と各抵抗体Ｒ６０とは、それぞれ上述した構成を有する。また、上述したように、各抵抗体Ｒ６０は、対応する第１のバリスタ電極４２，５２に物理的且つ電気的に接続される。
【００９８】
ただし、各第１のバリスタＶ４０が有する第１のバリスタ層４４は、一体的に形成されている。各第２のバリスタＶ５０が有する第２のバリスタ層５４は、一体的に形成されている。第１，第２のバリスタ層４４，５４は、第１の面１００ａと垂直な方向から見て略直方形状に形成されると共に、長手方向が積層方向と平行に形成されることとなる。このようにすることにより、バリスタ抵抗部３００の機械強度をより高めることができる。すなわち、本体４００の機械強度を高めることができる。
【００９９】
また、各第１のバリスタ電極４１は、対応するコンデンサ部１が有する第３の内部電極２６に物理的且つ電気的に接続されている。各第２のバリスタ電極４２は、対応するコンデンサ部１が有する第１の内部電極２１，２３，２５に物理的且つ電気的に接続されている。各第１のバリスタ電極５１は、対応するコンデンサ部１が有する第２の内部電極２２，２４に物理的且つ電気的に接続されている。各第２のバリスタ電極５２は、対応するコンデンサ部１が有する第１の内部電極２１，２３，２５に物理的且つ電気的に接続されている。
【０１００】
すなわち、図１１に示すように、ローパスフィルタアレイＦ３は、４個の第１のコンデンサＣ１及び４個の第２のコンデンサＣ２と４個の抵抗体Ｒ６０とにより４組のπ型のＲＣフィルタが構成されると共に、４個の第１のコンデンサＣ１にそれぞれ並列接続された４個の第１のバリスタＶ４０と、４個の第２のコンデンサＣ２にそれぞれ並列接続された４個の第２のバリスタＶ５０を備えるローパスフィルタを構成することとなる。
【０１０１】
本実施形態のローパスフィルタアレイＦ３では、それぞれ４個の第１の内部電極２１，２３，２５と４個の第３の内部電極２６とによって４個の第１のコンデンサＣ１が構成される。それぞれ４個の第１の内部電極２１，２３，２５とそれぞれ４個の第２の内部電極２２，２４とによって４個の第２のコンデンサが構成される。この４個の第１のコンデンサＣ１と４個の第２のコンデンサＣ２と４個の抵抗体Ｒ６０とによって４個のπ型のＲＣフィルタを構成する。そして、４個の第１のバリスタＶ４０が４個の第１のコンデンサＣ１にそれぞれ並列接続され、４個の第２のバリスタＶ５０が４個の第２のコンデンサＣ２に並列接続されることにより、ＥＳＤ保護機能を有する４個のローパスフィルタを含むこととなる。また、コンデンサ部１００の第１の面１００ａに４個の第１及び第２のバリスタＶ４０，Ｖ５０と４個の抵抗体Ｒ６０とが配置され、第２の面１００ｂに４対の入出力端子電極５，７とグランド端子電極９が配置されているので、上記構成のローパスフィルタアレイを１チップで実現することができる。よって、ＥＳＤ保護機能を有するローパスフィルタアレイの実装密度を向上させることができる。
【０１０２】
本実施形態のローパスフィルタアレイＦ３では、グランド端子電極９に電気的に接続された第４の内部電極７０が互いに隣り合うコンデンサ部１の間にそれぞれ配置されているので、各ローパスフィルタ間のクロストークを抑制することができる。
【０１０３】
本実施形態のローパスフィルタアレイＦ３では、４個の第１のバリスタＶ４０に対応する第１のバリスタ層４４が一体的に形成され、４個の第２のバリスタＶ５０に対応する第２のバリスタ層５４が一体的に形成されている。よって、第１，第２のバリスタ層４４，５４が補強材として機能し、本体４００の機械強度を強化することができる。
【０１０４】
本実施形態のローパスフィルタアレイＦ３では、第１〜第４のバリスタ電極４１，４２，５１，５２が第１の面１ａに配置され、第１，第２のバリスタ層４４，５４が対応する２つの電極を覆うように配置されるので、各第１及び各第２のバリスタＶ４０，Ｖ５０を簡易に構成することができる。また、第１の面１ａと垂直な方向の寸法をより小さくして、上記回路構成を有するローパスフィルタアレイをより小型な１チップ部品とすることができる。
【０１０５】
本発明は、上記実施形態に限定されるものではなく、種々の変形が可能である。例えば、上記実施例では、ローパスフィルタアレイＦ３が第４の内部電極７０を備えることとしたが、これに限られない。
【０１０６】
また、上記実施例では、４個の第１，第２のバリスタＶ４０，Ｖ５０に含まれる第１，第２のバリスタ層４４，５４を一体的に形成することとしたが、これに限られない。第１，第２のバリスタ層４４，５４を４個に分割して、各第１，第２のバリスタ層を４個の第１，第２のバリスタＶ４０，Ｖ５０がそれぞれ含むこととしてもよい。この場合、４個の第１，第２のバリスタ間におけるクロストークを抑制することができる。
【図面の簡単な説明】
【０１０７】
【図１】第１実施形態に係るローパスフィルタを示す概略平面図である。
【図２】第１実施形態に係るローパスフィルタに含まれるバリスタ抵抗部を示す図である。
【図３】第１実施形態に係るローパスフィルタの断面構成を示す模式図である。
【図４】第１実施形態に係るローパスフィルタに含まれるコンデンサ部を示す分解図である。
【図５】図３におけるV−V線に沿った断面構成を示す模式図である。
【図６】図３におけるVI−VI線に沿った断面構成を示す模式図である。
【図７】第１実施形態に係るローパスフィルタの等価回路図である。
【図８】第２実施形態に係るローパスフィルタアレイに含まれるバリスタ抵抗部を示す図である。
【図９】第２実施形態に係るローパスフィルタアレイの断面構成を示す模式図である。
【図１０】図９におけるＸ−Ｘ線に沿った断面構成を示す模式図である。
【図１１】第２実施形態に係るローパスフィルタアレイの等価回路図である。
【符号の説明】
【０１０８】
Ｆ１…ローパスフィルタ、Ｆ３…ローパスフィルタアレイ、１…コンデンサ部、１ａ…第１の面、１ｂ…第２の面、３…バリスタ抵抗部、４…本体、５ｂ…ボール、５，７…入出力端子電極、９…グランド端子電極、１０〜１７…誘電体、２１，２３，２５…第１の内部電極、２２，２４…第２の内部電極、３０…保護層、４１，５１…第１のバリスタ電極、４２，５２…第２のバリスタ電極、４３，５３…第３のバリスタ電極、４４…第１のバリスタ層、５４…第２のバリスタ層、６０…抵抗体、７０…第４の内部電極、１００…コンデンサ部、１００ａ…第１の面、１００ｂ…第２の面、３００…バリスタ抵抗部、Ｃ１…第１のコンデンサ、Ｃ２…第２のコンデンサ、Ｒ６０…抵抗体、Ｖ４０…第１のバリスタ、Ｖ５０…第２のバリスタ。
【図１】
0004586760.tif 000002
【図２】
0004586760.tif 000003
【図３】
0004586760.tif 000004
【図４】
0004586760.tif 000005
【図５】
0004586760.tif 000006
【図６】
0004586760.tif 000007
【図７】
0004586760.tif 000008
【図８】
0004586760.tif 000009
【図９】
0004586760.tif 000010
【図１０】
0004586760.tif 000011
【図１１】
0004586760.tif 000012